(57)【特許請求の範囲】
【請求項１】
履帯を回転させることで走行可能な下部走行体と、  前記下部走行体上に旋回可能な状態で搭載された上部旋回体と、  前記上部旋回体上に配置されたエンジンと、  前記上部旋回体上に配置され、前記エンジンによって駆動される油圧ポンプと、  前記エンジンを格納するために前記上部旋回体上に設けられたエンジンルームと、  前記油圧ポンプを格納するために前記上部旋回体上に設けられたポンプルームと、  前記ポンプルーム内にアクセス可能な開閉ドアが設けられる前記ポンプルームの外周側に沿って設けられた複数のフィルタ装置と、を備え、  前記複数のフィルタ装置のうち、少なくとも２つのフィルタ装置が前記開閉ドアの開口部から見て手前側に設けられており、  前記複数のフィルタ装置は、それぞれのフィルタ装置を取り外す方向に少なくともフィルタ装置と同じ大きさのスペースを有しており、  前記複数のフィルタ装置のうち、２つのフィルタ装置が隣接配置されており、隣接配置されたフィルタ装置は高さ方向において互いにずれた位置に配置されている、油圧ショベル。
【請求項２】
隣接配置されたフィルタ装置は、一方のフィルタ装置の下面が、他方のフィルタ装置よりも高い位置にくるように配置されている、請求項１に記載の油圧ショベル。
【請求項３】
前記複数のフィルタ装置は、フィルタの交換周期の長いフィルタ装置が相対的に前記ポンプルームにおける外周側よりも奥側に配置される、請求項１または２に記載の油圧ショベル。
【請求項４】
前記複数のフィルタ装置には、エンジンオイルフィルタ、燃料プレフィルタ、燃料メインフィルタが含まれる、請求項１から３のいずれか１項に記載の油圧ショベル。
【請求項５】
前記燃料メインフィルタが前記ポンプルームの奥側に、前記燃料プレフィルタが前記燃料メインフィルタの手前側であって前記ポンプルームの車体後方寄りの外周側に、前記エンジンオイルフィルタが前記ポンプルームの車体前方寄りの外周側に、それぞれ配置されている、請求項４に記載の油圧ショベル。
【請求項６】
前記ポンプルームは、前記エンジンルームに対して遮蔽されている、請求項１から５のいずれか１項に記載の油圧ショベル。
【請求項７】
前記エンジンルーム内に設置されており、前記エンジンから排出される排気ガスを浄化するための後処理装置を、さらに備えている、請求項１から６のいずれか１項に記載の油圧ショベル。
【発明の詳細な説明】
【技術分野】
【０００１】  本発明は、エンジンオイルや燃料等に含まれる不純物を濾過する各種フィルタ装置を搭載した油圧ショベルに関する。
【背景技術】
【０００２】  近年、油圧ショベル等の建設機械には、エンジンオイルやディーゼル燃料中に含まれる不純物を濾過するためのフィルタ装置が搭載されている。  例えば、特許文献１には、日常的に点検や整備が必要な補器類を点検整備がし易い位置に配置して点検・整備のやり易さと効率向上を図るために、建設機械の建屋に設けられた開閉ドアの内側に、燃料フィルタ、作動油フィルタ等の補器を設けた油圧ショベルが開示されている。
【先行技術文献】
【特許文献】
【０００３】
【特許文献１】特開２００１−２８８７７７号公報（平成１３年１０月１９日公開）
【発明の概要】
【０００４】  しかしながら、上記従来の油圧ショベルでは、以下に示すような問題点を有している。  すなわち、上記公報に開示された油圧ショベルでは、建設機械の建屋に設けられた開閉ドアの内側に、燃料フィルタと作動油フィルタとを同じ高さ位置に設けている。このため、交換時にフィルタの下方に交換用のスペースが必要となる場合には、複数のフィルタを同じ高さ位置に設けているために、交換作業の作業性が低下してしまうおそれがある。  本発明の課題は、各種フィルタの取付け位置を最適化して、フィルタの交換作業を効率よく実施することが可能な油圧ショベルを提供することにある。
【０００５】  第１の発明に係る油圧ショベルは、履帯を回転させることで走行可能な下部走行体と、下部走行体上に旋回可能な状態で搭載された上部旋回体と、上部旋回体上に配置されたエンジンと、上部旋回体上に配置されエンジンによって駆動される油圧ポンプと、エンジンを格納するために上部旋回体上に設けられたエンジンルームと、油圧ポンプを格納するために上部旋回体上に設けられたポンプルームと、ポンプルーム内にアクセス可能な開閉ドアが設けられるポンプルームの外周側に沿って設けられた複数のフィルタ装置と、を備えている。複数のフィルタ装置のうち、少なくとも２つのフィルタ装置が開閉ドアの開口部から見て手前側に設けられている。複数のフィルタ装置は、それぞれのフィルタ装置を取り外す方向に少なくともフィルタ装置と同じ大きさのスペースを有している。複数のフィルタ装置のうち、２つのフィルタ装置が隣接配置されており、隣接配置されたフィルタ装置は高さ方向において互いにずれた位置に配置されている。
【０００６】  ここでは、油圧ショベルにおいて、上部旋回体上に設けられるポンプルーム内の外周に沿って、エンジンオイルフィルタや燃料フィルタ等の複数のフィルタ装置を配置している。そして、複数のフィルタ装置は、少なくともそれぞれを取り外す方向に少なくともフィルタ装置と同じ大きさのスペースを有している。また、隣接配置されたフィルタ装置は高さ方向において互いにずれた位置に配置されている。
【０００７】  これにより、交換が必要な複数のフィルタ装置をポンプルームに集約してその外周に沿って配置したことで、フィルタ交換時に開閉ドアの開口部からアクセスし易くなる。さらに、複数のフィルタ装置が、少なくともそれぞれを取り外す方向に少なくともフィルタ装置と同じ大きさのスペースを有し、隣接配置されたフィルタ装置は高さ方向において互いにずれた位置に配置されているため、フィルタ交換時に必要なフィルタ装置の周辺に、交換可能なフィルタを取り出したり装填したりするための作業スペースを確保することができる。よって、フィルタ交換時における作業性を向上させることができる。
【０００８】  第２の発明に係る油圧ショベルは、第１の発明に係る油圧ショベルであって、隣接配置されたフィルタ装置は、一方のフィルタ装置の下面が、他方のフィルタ装置よりも高い位置にくるように配置されている。
【０００９】  第３の発明に係る油圧ショベルは、第１または第２の発明に係る油圧ショベルであって、複数のフィルタ装置は、フィルタの交換周期の長いフィルタ装置が相対的にポンプルームにおける外周側よりも奥側に配置される。  ここでは、フィルタの交換期間が短いフィルタ装置をポンプルームにおける開閉ドア等からみて手前側に、交換期間の長いフィルタ装置を奥側に配置している。  これにより、フィルタ交換作業の効率を向上させることができる。
【００１０】  第４の発明に係る油圧ショベルは、第１から第３の発明のいずれか１つに係る油圧ショベルであって、複数のフィルタ装置には、エンジンオイルフィルタ、燃料プレフィルタ、燃料メインフィルタが含まれる。  ここでは、３種類のフィルタ装置をポンプルーム内に配置している。  これにより、例えば、フィルタの交換寿命が比較的短い燃料プレフィルタやエンジンオイルフィルタをポンプルームの外周側に配置し、フィルタの交換寿命が比較的長い燃料メインフィルタをポンプルームの奥側に配置する等、各フィルタ装置の特性に応じて配置を最適化することができる。
【００１１】  第５の発明に係る油圧ショベルは、第４の発明に係る油圧ショベルであって、燃料メインフィルタがポンプルームの奥側に、燃料プレフィルタが燃料メインフィルタの手前側であってポンプルームの車体後方寄りの外周側に、エンジンオイルフィルタがポンプルームの車体前方寄りの外周側に、それぞれ配置されている。  ここでは、各フィルタ装置のフィルタ交換寿命等を考慮して、配置の最適化を図っている。  これにより、フィルタ交換が頻繁に行われるフィルタ装置（燃料プレフィルタ、エンジンオイルフィルタ）の作業効率を向上させることができる。
【００１２】  第６の発明に係る油圧ショベルは、第１から第５の発明のいずれか１つに係る油圧ショベルであって、ポンプルームは、エンジンルームに対して遮蔽されている。  これにより、上部旋回体上に設けられたエンジンルームとポンプルームとを、互いに遮蔽された状態で配置することができる。
【００１３】  第７の発明に係る油圧ショベルは、第１から第６の発明のいずれか１つに係る油圧ショベルであって、エンジンルーム内に設置されており、エンジンから排出される排気ガスを浄化するための後処理装置を、さらに備えている。  ここでは、上部旋回体上に配置されたエンジンから排出される排気ガスを浄化するための後処理装置をエンジンルーム内に配置している。
【００１４】  これにより、従来はエンジンルーム内にも配置されていたフィルタ装置を、後処理装置の搭載によってスペースが少なくなったエンジンルームから隣接するポンプルームへと移動して配置することで、種類の異なる複数のフィルタ装置をポンプルーム内に集約して配置することができる。  この結果、複数のフィルタ装置がエンジンルームとポンプルームとに分けて配置されていた従来の構成と比較して、フィルタ装置に関するフィルタの交換作業やメンテナンス作業等を効率よく実施することができる。
【図面の簡単な説明】
【００１５】
【図１】本発明の一実施形態に係る油圧ショベルの構成を示す全体斜視図。
【図２】図１の油圧ショベルのエンジンルーム内の構成を示す上面図。
【図３】図１の油圧ショベルの後方側面に配置された点検用ドアを開けた状態で確認可能なポンプルーム内の構成を示す側面図。
【図４】図３のポンプルーム内の構成を示す平面図。
【図５】図３のポンプルーム内の構成を示す拡大側面図。
【図６】図３のポンプルームにオペレータがアクセスしている状態を示す側面図。
【図７】本発明の他の実施形態に係る油圧ショベルの後方側面に配置された点検用ドアを開けた状態で確認可能なポンプルーム内の構成を示す側面図。
【図８】図７のポンプルーム内の構成を示す平面図。
【図９】図７のポンプルーム内の構成を示す拡大側面図。
【発明を実施するための形態】
【００１６】  （実施形態１）  本発明の一実施形態に係る油圧ショベル１について、図１〜図６を用いて説明すれば以下の通りである。  なお、以下の説明で使用する「前後」、「左右」方向については、油圧ショベル１のキャブ１０内のシートに着座した運転者から見た方向を意味するものとする。
【００１７】  ［油圧ショベル１全体の構成］  本実施形態に係る油圧ショベル１は、後方小旋回型の油圧ショベルであって、図１に示すように、下部走行体２と、上部旋回体３と、作業機４と、カウンタウェイト５と、エンジン６と、油圧ポンプ７と、後処理装置８と、キャブ１０と、を備えている。  下部走行体２は、進行方向における左右両端部分に巻き掛けられた履帯Ｃを回転させることで、油圧ショベル１を前進、後進させるとともに、上部に上部旋回体３を旋回可能な状態で搭載している。
【００１８】  上部旋回体３は、下部走行体２上において、任意の方向に旋回可能であって、上面に作業機４と、カウンタウェイト５と、エンジン６と、油圧ポンプ７と、後処理装置８と、キャブ１０と、を搭載している。また、上部旋回体３は、右後方側面の部分に、開閉可能な点検用ドア３ａを有している。点検用ドア３ａは、後述する各種フィルタ装置（燃料メインフィルタ２１（図３参照）等）が配置されたポンプルームＳ２に、車体の外側からアクセスするために設けられている。
【００１９】  作業機４は、図１に示すように、中央部分で屈曲したブーム１１と、ブーム１１の先端に取り付けられたアーム１２と、アーム１２の先端に取り付けられたバケット１３とを有している。そして、油圧ショベル１は、油圧ホース２０を介して供給される圧油によって各油圧シリンダ１１ａ，１２ａ，１３ａを駆動することで、ブーム１１やアーム１２、バケット１３等を上下に移動させながら、土砂や砂礫等の掘削を行う土木工事の現場において作業を行う。
【００２０】  カウンタウェイト５は、例えば、鋼板を組み立てて形成した箱の中に屑鉄やコンクリート等を入れて固めたものであって、採掘時等において車体のバランスをとるために上部旋回体３上におけるエンジンルームＳ１の後方に設けられている。  エンジン６は、図１に示すように、カウンタウェイト５に隣接するエンジンルームＳ１内に配置されている。エンジンルームＳ１は、開閉可能なエンジンフード１４によって覆われた点検用の上部開口を有しており、エンジンルームＳ１内に配置されたエンジン６等の整備は、このエンジンフード１４を開閉して行われる。
【００２１】  油圧ポンプ７は、エンジン６に連結されており、エンジン６の回転駆動力を受けて駆動される。また、油圧ポンプ７は、エンジン６が配置されたエンジンルームＳ１に隣接し、かつポンプルームＳ２内に配置されている（図４参照）。なお、ポンプルームＳ２は、油圧ポンプ７によって巻き上げられた油がエンジンルームＳ１へ飛散しないように、遮蔽板によってエンジンルームＳ１から遮蔽されている。
【００２２】  後処理装置８は、エンジン６から排出される排気ガス中の有害物質（例えば、ＮＯｘ等）を浄化するために、図２に示すように、エンジンルームＳ１におけるエンジン６の上方に配置されている。本実施形態では、エンジン６の上方に後処理装置８、側方にセンサ類９を配置しているため、エンジンルームＳ１内に各種フィルタ装置を設置するスペースの余裕がなくなっている。よって、本実施形態の油圧ショベル１では、３種類のフィルタ装置（燃料メインフィルタ２１、燃料プレフィルタ２２、エンジンオイルフィルタ２３）の全てをポンプルームＳ２内に設けている。  キャブ１０は、油圧ショベル１の運転者が乗降する室内空間を内部に有している。キャブ１０は、運転者が室内空間に出入りするための乗降用ドアを左側面に有している。
【００２３】  ［ポンプルームＳ２内の構成］  本実施形態の油圧ショベル１は、図３に示すように、上部旋回体３の後方側面に設けられた点検用ドア３ａを開けたポンプルームＳ２内に、３種類のフィルタ装置（燃料メインフィルタ２１、燃料プレフィルタ２２、エンジンオイルフィルタ２３）を配置している。
【００２４】  燃料メインフィルタ２１、燃料プレフィルタ２２、エンジンオイルフィルタ２３は、図３に示すように、側面視において、それぞれ異なる高さ位置Ｌ１，Ｌ２，Ｌ３に配置されている。また、燃料メインフィルタ２１、燃料プレフィルタ２２、エンジンオイルフィルタ２３は、図４に示すように、平面視において互いに重複しないずれた位置であって、それぞれポンプルームＳ２の外周側寄りに配置されている。
【００２５】  なお、各フィルタ装置のフィルタ交換周期は、燃料メインフィルタ２１が約１０００Ｈ、燃料プレフィルタ２２が約５００Ｈ、エンジンオイルフィルタ２３が約５００Ｈである。また、各フィルタ装置のフィルタ交換は、フィルタ装置の下方空間において、フィルタレンチ等の作業工具を用いて行われる。さらに、燃料タンクからエンジン６に向かってディーゼル燃料が供給されるルートとしては、燃料タンク、燃料プレフィルタ２２、エンジン６、燃料メインフィルタ２１、エンジン６の燃焼室となっている。
【００２６】  （燃料メインフィルタ２１）  燃料メインフィルタ２１は、油圧ショベル１のディーゼル燃料中に含まれる不純物を濾過するために、ポンプルームＳ２内におけるエンジン６の燃焼室の直上流側に配置されている。より具体的には、燃料メインフィルタ２１は、図４に示すように、点検用ドア３ａの開口部から見て、他のフィルタ装置（燃料プレフィルタ２２、エンジンオイルフィルタ２３）と比較して最も奥側に配置されている。また、燃料メインフィルタ２１は、図５に示すように、下面の位置が、他のフィルタ装置と比較して最も低い位置（高さ位置Ｌ１）になるように配置されている。
【００２７】  ここで、燃料メインフィルタ２１は、点検用ドア３ａの開口から見て最も奥側に配置されている。また、燃料メインフィルタ２１は、図５に示すように、取り外す方向に少なくとも燃料メインフィルタ２１と同じ大きさのスペースを隣接して有しているため、他のフィルタ装置よりも下方に配置されている場合でも、オペレータが手を入れたり、フィルタレンチ等の作業工具を挿入したりするための作業スペースは確保されている。また、燃料メインフィルタ２１は、隣接配置された燃料プレフィルタ２２とは高さ位置が異なるように配置されているため、燃料プレフィルタ２２のフィルタ交換用の作業スペースも確保することができる。  なお、燃料メインフィルタ２１は、フィルタの交換周期が最も長いため交換作業の回数が他のフィルタ装置よりも少ない。よって、本実施形態では、フィルタ交換作業の作業性の面から、燃料メインフィルタ２１は、他の燃料プレフィルタ２２、エンジンオイルフィルタ２３の中で最も奥側に配置されている。
【００２８】  （燃料プレフィルタ２２）  燃料プレフィルタ２２は、燃料メインフィルタ２１と同様にディーゼル燃料中に含まれる不純物を濾過するために設けられた燃料メインフィルタ２１よりもメッシュの粗いフィルタ装置であって、ポンプルームＳ２における燃料タンク（図示せず）の直下流側に配置されている。より具体的には、燃料プレフィルタ２２は、図４に示すように、点検用ドア３ａの開口部から見て、燃料メインフィルタ２１の手前側であって、ポンプルームＳ２の外周側の位置に配置されている。また、燃料プレフィルタ２２は、図５に示すように、下面の位置が、隣接する燃料メインフィルタ２１よりも高く、エンジンオイルフィルタ２３よりも低い位置（高さ位置Ｌ２）になるように配置されている。
【００２９】  ここで、燃料プレフィルタ２２は、点検用ドア３ａの開口から見て手前側に配置されている。また、燃料プレフィルタ２２は、燃料メインフィルタ２１が隣接配置されている場合でも、図５に示すように、取り外す方向に少なくとも燃料プレフィルタ２２と同じ大きさのスペースを隣接して有しているため、オペレータが手を入れたり、フィルタレンチ等の作業工具を挿入したりするための作業スペースは確保されている。  なお、燃料プレフィルタ２２は、フィルタの交換周期が比較して短い（約５００Ｈ）ため交換作業の回数が燃料メインフィルタ２１よりも多くなる。よって、本実施形態では、フィルタ交換作業の作業性の面から、燃料プレフィルタ２２は、燃料メインフィルタ２１よりも手前側で作業がし易い位置に配置されている。
【００３０】  （エンジンオイルフィルタ２３）  エンジンオイルフィルタ２３は、エンジンオイル中に含まれる不純物を濾過するために、ポンプルームＳ２内におけるエンジン６の直上流側に配置されている。より具体的には、エンジンオイルフィルタ２３は、図４に示すように、点検用ドア３ａの開口部から見て最も手前側であって、ポンプルームＳ２の外周側の位置に配置されている。また、エンジンオイルフィルタ２３は、他のフィルタ装置から離れて、上部旋回体３における車体前方寄りの位置に配置されている。さらに、エンジンオイルフィルタ２３は、図５に示すように、下面の位置が、他の燃料メインフィルタ２１、燃料プレフィルタ２２よりも高い位置（高さ位置Ｌ３）になるように配置されている。
【００３１】  ここで、エンジンオイルフィルタ２３は、点検用ドア３ａの開口から見て手前側に配置されている。また、エンジンオイルフィルタ２３は、図５に示すように、取り外す方向に少なくともエンジンオイルフィルタ２３と同じ大きさのスペースを隣接して有しているため、オペレータが手を入れたり、フィルタレンチ等の作業工具を挿入したりするための作業スペースは十分に確保されている。
【００３２】  なお、エンジンオイルフィルタ２３は、燃料プレフィルタ２２と同様に、フィルタの交換周期が比較して短い（約５００Ｈ）ため交換作業の回数が燃料メインフィルタ２１よりも多くなる。よって、本実施形態では、フィルタ交換作業の作業性の面から、燃料プレフィルタ２２と同様に、エンジンオイルフィルタ２３が、点検用ドア３ａの開口から見て手前側で作業がし易い位置に配置されている。
【００３３】  ＜特徴＞  本実施形態の油圧ショベル１では、図４および図５に示すように、点検用ドア３ａが設けられるポンプルームＳ２における外周側の位置に沿って設けられており、高さ方向にずれて配置されている複数のフィルタ装置（燃料メインフィルタ２１、燃料プレフィルタ２２、エンジンオイルフィルタ２３）を備えている。また、複数のフィルタ装置（燃料メインフィルタ２１、燃料プレフィルタ２２、エンジンオイルフィルタ２３）は、燃料メインフィルタ２１と燃料プレフィルタ２２とが隣接して配置されており、それぞれのフィルタ装置を取り外す方向（図５では、下方）に少なくともフィルタ装置と同じ大きさのスペースを有している。
【００３４】  これにより、燃料メインフィルタ２１と燃料プレフィルタ２２とが隣接して配置されている場合でも、図６に示すように、オペレータがフィルタ交換時に点検用ドア３ａを開けた状態でフィルタ交換作業を実施する際に、フィルタ装置を取り外す方向に必要となる作業スペースを十分に確保してフィルタの交換作業を効率よく実施することができる。
【００３５】  （実施形態２）  本発明の他の実施形態に係る油圧ショベル１について、図７〜図９を用いて説明すれば以下の通りである。  なお、本実施形態では、燃料メインフィルタ２１、燃料プレフィルタ２２、エンジンオイルフィルタ２３の配置という点において上記実施形態１の構成とは異なっている。ただし、その他の構成については共通であるから、同じ機能を有する部材については、同じ符号を付しその説明を省略する。  すなわち、本実施形態では、点検用ドア３ａの開口から見て、右側の空間に燃料メインフィルタ２１とエンジンオイルフィルタ２３とが異なる高さ位置に隣接配置されており、左側の空間に燃料プレフィルタ２２が単独で配置されている。  各フィルタ装置のより具体的な配置は、以下の通りである。
【００３６】  （燃料メインフィルタ２１）  燃料メインフィルタ２１は、図８に示すように、点検用ドア３ａの開口部から見て、他のフィルタ装置（燃料プレフィルタ２２、エンジンオイルフィルタ２３）と比較して最も右側に配置されている。また、燃料メインフィルタ２１は、図９に示すように、下面の位置が、隣接配置されたエンジンオイルフィルタ２３よりも低く、燃料プレフィルタ２２と同等の位置（高さ位置Ｌ１１）になるように配置されている。
【００３７】  ここで、燃料メインフィルタ２１は、点検用ドア３ａの開口から見て、隣接するエンジンオイルフィルタ２３よりも奥側に配置されているが、図９に示すように、隣接するエンジンオイルフィルタ２３よりも下方に配置されているため、オペレータが手を入れたり、フィルタレンチ等の作業工具を挿入したりするための作業スペースはその下方に確保されている。  なお、燃料メインフィルタ２１は、上述した通り、フィルタの交換周期が最も長いため交換作業の回数が他のフィルタ装置よりも少ない。よって、本実施形態では、フィルタ交換作業の作業性の面から、燃料メインフィルタ２１は、交換周期の短い他の燃料プレフィルタ２２、エンジンオイルフィルタ２３の中で開口からは最も奥側に配置されている。
【００３８】  （燃料プレフィルタ２２）  燃料プレフィルタ２２は、図８に示すように、点検用ドア３ａの開口部から見て、ポンプルームＳ２の後端側寄りの外周側に配置されている。また、燃料プレフィルタ２２は、図９に示すように、下面の位置が、燃料メインフィルタ２１と同等であって、エンジンオイルフィルタ２３よりも低い位置（高さ位置Ｌ１２）になるように配置されている。
【００３９】  ここで、燃料プレフィルタ２２は、点検用ドア３ａの開口から見て手前側に配置されているため、図９に示すように、オペレータが手を入れたり、フィルタレンチ等の作業工具を挿入したりするための作業スペースはその下方に確保されている。  なお、燃料プレフィルタ２２は、上述した通り、フィルタの交換周期が比較して短い（約５００Ｈ）ため交換作業の回数が燃料メインフィルタ２１よりも多くなる。よって、本実施形態では、フィルタ交換作業の作業性の面から、燃料プレフィルタ２２は、ポンプルームＳ２における外周側の作業がし易い位置に配置されている。
【００４０】  （エンジンオイルフィルタ２３）  エンジンオイルフィルタ２３は、図８に示すように、点検用ドア３ａの開口部から見て最も手前側であって、ポンプルームＳ２の外周側の位置に配置されている。また、エンジンオイルフィルタ２３は、燃料メインフィルタ２１に隣接配置されている。さらに、エンジンオイルフィルタ２３は、図９に示すように、下面の位置が、他の燃料メインフィルタ２１、燃料プレフィルタ２２よりも高い位置（高さ位置Ｌ１３）になるように配置されている。
【００４１】  ここで、エンジンオイルフィルタ２３は、点検用ドア３ａの開口から見て手前側に配置されているため、図９に示すように、オペレータが手を入れたり、フィルタレンチ等の作業工具を挿入したりするための作業スペースは十分に確保されている。  なお、エンジンオイルフィルタ２３は、上述した通り、燃料プレフィルタ２２と同様に、フィルタの交換周期が比較して短い（約５００Ｈ）ため交換作業の回数が燃料メインフィルタ２１よりも多くなる。よって、本実施形態では、フィルタ交換作業の作業性の面から、燃料プレフィルタ２２と同様に、エンジンオイルフィルタ２３が、点検用ドア３ａの開口から見て手前側で作業がし易い位置に配置されている。
【００４２】  ＜特徴＞  本実施形態の油圧ショベルでは、上記実施形態１と同様に、図８および図９に示すように、点検用ドア３ａが設けられるポンプルームＳ２における外周側の位置に沿って設けられており、高さ方向にずれて配置されている複数のフィルタ装置（燃料メインフィルタ２１、燃料プレフィルタ２２、エンジンオイルフィルタ２３）を備えている。また、複数のフィルタ装置（燃料メインフィルタ２１、燃料プレフィルタ２２、エンジンオイルフィルタ２３）は、燃料メインフィルタ２１とエンジンオイルフィルタ２３とが隣接して配置されており、それぞれのフィルタ装置を取り外す方向（図９では、下方）に少なくともフィルタ装置と同じ大きさのスペースを有している。  これにより、オペレータがフィルタ交換時に点検用ドア３ａを開けた状態でフィルタ交換作業を実施する際に、フィルタ装置を取り外す方向に必要となる作業スペースを十分に確保してフィルタの交換作業を効率よく実施することができるという、上記実施形態１と同様の効果を得ることができる。
【００４３】  ［他の実施形態］  以上、本発明の一実施形態について説明したが、本発明は上記実施形態に限定されるものではなく、発明の要旨を逸脱しない範囲で種々の変更が可能である。
【００４４】  （Ａ）  上記実施形態１，２では、燃料メインフィルタ２１、燃料プレフィルタ２２、エンジンオイルフィルタ２３の高さ位置が全て異なるように、それぞれのフィルタ装置を配置した例を挙げて説明した。しかし、本発明はこれに限定されるものではない。  例えば、複数のフィルタ装置のうち、互いに隣接する少なくとも２つのフィルタ装置の高さ位置が異なるように配置されていればよい。
【００４５】  （Ｂ）  上記実施形態１，２では、複数のフィルタ装置の下面の位置を基準にして互いに高さ位置が異なるように、燃料メインフィルタ２１、燃料プレフィルタ２２、エンジンオイルフィルタ２３を配置した例を挙げて説明した。しかし、本発明はこれに限定されるものではない。  例えば、各フィルタ装置の中心位置を基準にして、高さ位置が異なるように、各フィルタ装置を配置してもよい。
【００４６】  （Ｃ）  上記実施形態１，２では、複数のフィルタ装置として、燃料メインフィルタ２１、燃料プレフィルタ２２、エンジンオイルフィルタ２３を例として挙げて説明した。しかし、本発明はこれに限定されるものではない。  例えば、他の種類のフィルタ装置を搭載した油圧ショベルに対して、本発明を適用してもよい。
【００４７】  （Ｄ）  上記実施形態１，２では、３種類のフィルタ装置をポンプルームＳ２内に配置した例を挙げて説明した。しかし、本発明はこれに限定されるものではない。
【００４８】  例えば、２種類、あるいは４種類以上のフィルタ装置をポンプルーム内に配置してもよい。  また、種類の異なるフィルタ装置ではなく、複数のフィルタ装置の中に同じ種類のフィルタ装置が含まれていてもよい。
【産業上の利用可能性】
【００４９】  本発明の油圧ショベルは、各種フィルタの取付け位置を最適化して、フィルタの交換作業を効率よく実施することができるという効果を奏することから、複数のフィルタ装置を搭載した各種建設機械に対して広く適用可能である。
【符号の説明】
【００５０】  １      油圧ショベル  ２      下部走行体  ３      上部旋回体  ３ａ    点検用ドア  ４      作業機  ５      カウンタウェイト  ６      エンジン  ７      油圧ポンプ  ８      後処理装置  ９      センサ類１０      キャブ１１      ブーム１１ａ    油圧シリンダ１２      アーム１２ａ    油圧シリンダ１３      バケット１３ａ    油圧シリンダ１４      エンジンフード２１      燃料メインフィルタ（フィルタ装置）２２      燃料プレフィルタ（フィルタ装置）２３      エンジンオイルフィルタ（フィルタ装置）Ｌ１〜Ｌ３  高さ位置Ｌ１１〜Ｌ１３  高さ位置  Ｐ      オペレータＳ１      エンジンルームＳ２      ポンプルーム
【要約】
【課題】各種フィルタの取付け位置を最適化して、交換作業を効率よく実施することが可能な油圧ショベルを提供する。
【解決手段】油圧ショベル１では、点検用ドア３ａが設けられるポンプルームＳ２における外周側の位置に沿って設けられており、高さ方向にずれて配置されている複数のフィルタ装置（燃料メインフィルタ２１、燃料プレフィルタ２２、エンジンオイルフィルタ２３）を備えている。
【選択図】図５【図１】
0005198674.tif 000002
【図２】
0005198674.tif 000003
【図３】
0005198674.tif 000004
【図４】
0005198674.tif 000005
【図５】
0005198674.tif 000006
【図６】
0005198674.tif 000007
【図７】
0005198674.tif 000008
【図８】
0005198674.tif 000009
【図９】
0005198674.tif 000010